(57)【特許請求の範囲】
【請求項１】
入口（5）から出口（6）まで下降するコイン通路（10）と、前記コイン通路に突出したキャンセル位置と通路から退出した退避位置を選択的にとることができる第１ゲート手段（21）と、第１ゲート手段よりも入口側にあってコイン通路に突出したキャンセル位置と通路から退出した退避位置とを選択的にとることができる第２ゲート手段（25）とを備える転動式コインセレクタにおいて、
前記コイン通路（10）がほぼ垂直な下降部（8Ａ）と、下降部に続く弧状部（8Ｂ）と、弧状部に続く斜面部（8Ｃ）とより形成され、
前記第１ゲート手段（21）は、前記コイン通路の前記斜面部（8Ｃ）に配置され、かつコイン通路を横断する突部（21Ａ）およびその突部に続いて上流側から突部に向けて形成された弧状部（21Ｂ）を有すると共に、通常付勢手段（33）によりキャンセル位置に突出された構成とされ、
前記第２ゲート手段（25）は、前記コイン通路の前記弧状部（8Ｂ）に配置され、かつ枢軸（28）に回動自在に枢着されていると共にコイン通路の上流側から下流側に向かって漸次通路側に突出するカム面（25Ａ）を有し、該カム面が通常付勢手段（35）によりキャンセル位置に付勢されていると共に、前記第１ゲート手段（21）の退避動の途中で第１ゲート手段の突起（21Ｄ）に、該突起（21Ｄ）と対応位置している第２ゲート手段の突起（25Ｄ）が係合して伴連れされて退避位置に移動するような構成とされていることを特徴とする転動式コインセレクタ
【請求項２】
第２ゲート手段（25）は、第１ゲート手段（21）からコイン直径よりも少し大きい間隔でコイン通路に配置されていることを特徴とする請求項１に記載の転動式コインセレクタ。
【発明の詳細な説明】
【０００１】
【発明が属する技術分野】
本発明は、投入されたコインを転がしながら真正コインと不正コインとに区分けする転動式コインセレクタに関する。
特に本発明は、「パチンコ・スロット」、いわゆる「パチスロ」などのゲーム機に使用されている転動式コインセレクタに関する。
なお、本明細書で使用する「コイン」は、通貨であるコインの他、ゲーム機独自のメダルやトークンの総称である。
【０００２】
【従来の技術】
この種転動式コインセレクタは、例えば実開平６−２５９６３号（対応米国特許第５２９３９８１号）に開示されている。
これを図１４と図１５を用いて説明する。
図１４はコインセレクタの斜視図である。
図１５は図１４におけるＸ−Ｘ線での断面図である。
【０００３】
８４は軸線方向に長い平板状のフレームであり、両端部の取り付け片９９・９８によりゲーム機内に軸線方向、かつ、図１５から明らかなように軸線回りに傾斜して固定されている。
この入口８１に続いてフレーム８４の下縁部をＬ字状に屈曲してガイドレール８６を形成してある。
このガイドレール８６は後述の選別窓８９を通過した近傍まで形成してある。
ガイドレール８６の上面がコインのガイド面８７になっている。
フレーム８４の中間には矩形の選別窓８９を穿孔してある。
【０００４】
この選別窓８９の上縁側には選別板１０１が位置調整可能にビス止めしてある。
９１はフレーム８４の上縁部の枢軸８８に回動可能に軸支され、かつ、図１５でフレーム８４の裏側に配置され、かつ、その下縁を前記選別窓９に対応して配置したキャンセル板である。
８５はこのキャンセル板９１と一体動可能に枢軸８８に軸支され、かつ、フレーム８４の表側に配置したドア板である。
フレーム８４の上端部とドア板８５の上端部とにより、フレーム８４の上端部にはパチスロ機のコイン投入口に投入されたコインを受け入れる漏斗状の入口８１を形成している。
【０００５】
９５はフレーム８４の突起９４に上端部を枢動可能に支持したＬ字状のキャンセル板である。
９６はフレーム８４に固定したソレノイドであり、外部信号により選択的に励磁及び消磁される。
キャンセル板９５の先端部はこのソレノイド９５に吸着されたとき、前記レール８６の延長上に位置して出口８２までガイド面８７を延長する。
ソレノイド９６が消磁されたときはスプリング（図示せず）によりキャンセル板９５が回動されてレール８６の延長上から先端部が外れて落下孔９２を形成するようになっている。
【０００６】
選別板１０１の下縁９０とレール８６のガイド面８７とにより、真正コインの直径よりも僅かに広い間隔８３を規制している。
すなわち、入口８１からのコインＡがガイド面８７を転がって選別板１０１の部位に来ると、真正なコインであれば下縁９０すれすれを転がる。
このとき、コインＡの上縁部が下縁９０にガイドされて倒れが阻止されるから、選別窓８９部を通過できる。
しかし、不正小径コインであれば下縁９０によりガイドされないから、自重で倒れて選別窓８９中に倒れ込んでガイド面８７から落下してしまう。
もちろん、大径の不正コインは、ガイド面８７と下縁９０との間隔８３よりも径が大きいので入り込むことが出来ず、レール８６とドア板８５との間から落下する。
【０００７】
また、ソレノイド９６が励磁されているとキャンセル板９５は吸着されて先端部がレール８６の延長上に位置しているので、選別窓８９部を通過したコインはキャンセル板９５の上面を転がって出口８２に到達できる。
ところが、ソレノイド９６が消磁されるとキャンセル板９５は図示しないスプリングで回動されてレール８６の延長上から外れて落下孔９２を形成する。
これにより、コインＡはこの落下孔９２に落下して出口２まで到達できない。
このキャンセル機能は、ゲーム機側が故障のときや準備状態のときにコインが投入されてもゲーム者に返却するためのものである。
【０００８】
近年、ゲームのスピーディさが望まれるようになってきた。
そこで、コインの転がり速度を高めるためフレーム８４、したがって、レール８６の傾きを大きくすることが考えられた。
しかし徒にコインを消費しないよう、１ゲーム終了するまで次ゲームのコインを受け入れないことが要望された。
例えば、コインを３個受け入れ後、その３個分に対する１ゲームが終了しないうちに次ゲーム分のコインを受け入れないようにする必要がある。
そのため、前記コインセレクタの落下孔９２と出口８２との間のコイン通路に面して無接触式センサを配置し、このセンサを通過したコインが所定数になったら前記ソレノイドを消磁してキャンセル板９５をスプリングで戻して落下孔９２を形成し、その落下孔９２に落下させることが考えられた。
【０００９】
ところが、レール８６の傾きが増してコインの転がり速度が大きくなると、コインによってガイド面８７を押しつける力が小さくなると共にコインの転がり方向への慣性力が増すため、落下孔９２を飛び越えて供給されてしまうものがあるという不都合が発生する恐れがある。
この不都合を解決するため、前記落下孔９２に加えてコイン通路に突出するストッパを設けることが考えられる。
ストッパを用いる場合、コインの転がり速度が増しているため確実に供給を阻止するためには応答性を高める必要がある。
【００１０】
さらに、ゲーム者はコインの枚数など意識せずに投入孔にコインを連続して投入するため、ストッパがコインを２、３枚同時に係止しても破損しないことが求められる。
すなわち、ストッパを用いる場合は、高応答性と耐破損性を両立させる必要がある。
【００１１】
【発明が解決しようとする課題】
本発明の第１の目的は、コインの転動速度が大きくなっても確実に余分なコインの通過をキャンセルできるようにすることである。
本発明の第２の目的は、コインのキャンセル機構が高速応答性を有すると共に耐破損性を向上することである。
【００１２】
【課題を解決するための手段】
この目的を達成するため、本発明にかかるコインセレクタは、入口から出口まで下降するコイン通路と、前記コイン通路に突出したキャンセル位置と通路から退出した退避位置を選択的にとることができる第１ゲート手段と、  第１ゲート手段よりも入口側にあってコイン通路に突出したキャンセル位置と通路から退出した退避位置とを選択的にとることができる第２ゲート手段とを備える転動式コインセレクタにおいて、前記コイン通路がほぼ垂直な下降部と、下降部に続く弧状部と、弧状部に続く斜面部とより形成され、前記第１ゲート手段は、前記コイン通路の前記斜面部に配置され、かつコイン通路を横断する突部およびその突部に続いて上流側から突部に向けて形成された弧状部を有すると共に、通常付勢手段によりキャンセル位置に突出された構成とされ、前記第２ゲート手段は、前記コイン通路の前記弧状部に配置され、かつ枢軸に回動自在に枢着されていると共にコイン通路の上流側から下流側に向かって漸次通路側に突出するカム面を有し、該カム面が通常付勢手段によりキャンセル位置に付勢されていると共に、前記第１ゲート手段の退避動の途中で第１ゲート手段の突起に、該突起と対応位置している第２ゲート手段の突起が係合して伴連れされて退避位置に移動するような構成したものである。
【００１３】
また、コイン通路は、ほぼ垂直な下降部と、下降部に続く弧状部と、弧状部に続く斜面部とより構成したものである
さらに、第２ゲート手段は、第１ゲート手段からコイン直径よりも少し大きい間隔で配置したものである。
さらにまた、第２ゲート手段を、弧状部に配置したものである。
【００１４】
また、第１ゲート手段は、コイン通路を横断する突部およびその突部に続いて上流側から突部に向かう弧状部を有し、キャンセル位置において付勢手段により突出側に付勢するよう構成したものである。
さらに、第２ゲート手段を、上流側から下流側に向かって漸次通路側に突出する斜面によりコインをコイン通路から反らせてキャンセルするよう構成したものである。
さらにまた、枢軸に回動自在に枢着されてスプリングによりキャンセル位置に付勢され、第１ゲート手段の退避動の途中で第１ゲート手段に係合して伴連れされて退避位置に移動するように第２ゲート手段を構成したものである。
【００１５】
【発明の実施の形態】
本実施例は、連続して余計なコインが投入された場合、確実にその投入コインをキャンセルできるように、コイン通路にキャンセル手段を突出するようにしたものである。
【００１６】
【実施例】
図１は実施例の斜視図
図２は実施例の正面図
図３は図２のＡ−Ａ線断面図
図４は実施例の背面図
図５は図４のＢ−Ｂ線断面図
図６は実施例のカバーを外した状態の斜視図
図７は実施例のカバーを外した状態の正面図
図８は図７のＣ−Ｃ線断面図
図９は実施例のカバーを外した状態の運転状態の正面図
図１０は図９のＤ−Ｄ線断面図
図１１は第１ゲート手段がキャンセル位置にある状態でのＤ−Ｄ線断面図
図１２は第１と第２ゲート手段がキャンセル位置にある状態でのＤ−Ｄ断面図
図１３は図４からブラケット類を削除した背面図
図１４は従来例の斜視図
図１５は図１４のＸ−Ｘ線の断面図
【００１７】
１は本体であって、樹脂等により成形されている。
２は樹脂等などにより成形したカバーであり、本体１に突設した軸受３に軸４により回動自在に枢着されている。
また、カバー２は軸４に巻き付けたコイルバネ７により本体１側に付勢されている。
５はコインの投入孔、６はコイン出口である。
【００１８】
次に本体１の構造を、主に図６及び７を参照して説明する。
本体１には幅がコインとほぼ同一のレール８が側方に突出形成してある。
レール８は、ほぼ垂直の下降部８Ａ、それに続いてほぼ４分の１の円弧部８Ｂ、円弧部８Ｂに続く直線的な斜面部８Ｃよりなっている。
レール８表面には、ステンレス板９が摩耗防止のため貼付してある。
したがって、ステンレス板９の表面がコインのガイドレールＧになる。
このガイドレールＧに隣接した本体１側に垂立壁８Ｄを設けてある。
ガイドレールＧに沿ってガイドレール含む平面がコイン通路１０を形成する。
【００１９】
１１はガイドローラであって、本体１に突設した軸１２に前記円弧面８Ｂと同心に回転自在に支持してある。
ガイドローラ１１は図３及び図８から明らかなように、溝１１Ａとそれに続く斜面１１Ｂとが形成してある。
この溝１１Ａは、前記ガイドレールＧと同一平面内、すなわち、コイン通路１０にある。
ガイドローラ１１の底面１１ＣとガイドレールＧとの距離は真正なコインの直径よりも僅かに大きく設定してある。
また、溝１１Ａは前記底面１１Ｃと側壁１１Ｄ、１１Ｅとよりなっている。
側壁１１Ｅの高さ、すなわち、溝深さは真正コインの直径誤差及びガイドレールＧとガイドローラ１１の製造並びに組み付け誤差を考慮しても真正コインの端部が溝１１Ａ内を通過できるように設定してある。
さらに、側壁１１Ｄと１１Ｅの間隔は、真正コインよりも僅かに広く設定してある。
【００２０】
１３は直状の規制面１３Ａを有すると共にコインよりも厚みが僅かに厚い規制板であり、ビス１４で本体１に固定したされている。
ガイドレールＧと規制面１３Ａは真正コインの径よりも僅かに大きい間隔を有しており、真正コインの判別とガイド機能を有している。
ガイドレールＧの斜面部８Ｃには、凹字状の非接触型センサ１５Ａ、１５Ｂ、１５Ｃを配置してある。
これらセンサ１５Ａ、１５Ｂ、１５Ｃはコインを検出すると信号を出力する。
ガイドレールＧは、センサ１５Ｂの凹部に位置している。
センサ１５Ａと１５Ｃは、それらの凹部にコイン通路１０が内在するように配置してある。
センサ１５Ａは、本体１に固定したブラケット１６Ａに固定されている。
センサ１５Ｂ、１５Ｃも同様にブラケット１６Ｂ、１６Ｃに固定されている。
【００２１】
１７はコイン通路１０を挟んで本体１内の反対側に配置した転向防止板である。
転向防止板１７は、ブラケット１６Ａに固定され、センサ１５Ａと１５Ｃの間からセンサ１５Ａの間を塞いでいる。
２１は第１ゲート手段であり、樹脂により成形されている。
第１ゲート手段２１は、本体１の背面に突設した軸受２２に支持された軸２３に回動自在に支持されている。
第１ゲート手段２１の先端部は、図１１において明らかなように、コイン通路１０、すなわち、便宜的にはガイドレールＧの上方を直角に横断するようにした棒状の突部２１Ａ、その突部に続いてコイン通路１０の上流側に面して凸になる弧状面２１Ｂを形成してある。
突部２１Ａおよび弧状面２１Ｂのコイン通路１０への突出位置は、円弧部８Ｂの直下流、かつセンサ１５Ａ、１５Ｂの上流である。
【００２２】
２４は、本体１に形成した第１ゲート手段２１突出用の孔である。
２５は第２ゲート手段であり、樹脂により成形されている。
図１３から明らかなように、第２ゲート手段２５は本体１の背面に突出している軸受２７に固定された軸２８に一端部が回動自在に枢軸されている。
【００２３】
第２ゲート手段２５は、付勢手段、例えば軸２８回りに装着したスプリング３５により常時コイン通路１０側に、付勢されている。
そして、通常はこの付勢力により図１２のようにカム面２５Ａがコイン通路１０に位置した状態で図示しないストッパに係止されて静止している。
第２ゲート手段２５は、円弧部８Ｂに配置してある。
すなわち、突部２１Ａあるいは弧状面２１Ｂに係止されたコインに、次のコインが衝突するのを回避するために第１ゲート手段２１とコインの直径よりも僅かに離して配置してある。
第２ゲート手段２５は、正面から見て円弧状部８Ｂに沿って弧状になっていると共に、コイン通路１０の上流側から下流側向かって暫時コイン通路１０に突出（図１０参照）するようにカム面２５Ａが形成してある。
第２ゲート手段２５は、本体１の開口２６に配置してある。
【００２４】
５７は本体１の背面に固定したソレノイドである。
図１２から明らかなように、ソレノイド５７のアーマチャ５８の先端にはリンク２９の一端がアーマチャ５８を貫通するピン３１により枢着してある。
このリンク２９の他端は、第１ゲート手段２１の中間部にピン３２により枢着してある。
ピン３１とソレノイド５７との間にはコイルスプリング３３が介装してあり、常時アーマチャ５８が突出する方向に付勢している。
これにより、ソレノイド５７がＯＦＦのとき、コイルスプリング３３の弾発力によりアーマチャ５８は突出され、第１ゲート手段２１を図１２で最も反時計回り方向に回動させて弧状面２１Ｂがコイン通路１０に突出した状態、すなわちキャンセル位置で図示しないストッパに当接して静止している。
【００２５】
ゲーム機が作動状態のときは、ソレノイド５７が励磁されてアーマチャ５８が吸引されるので、ピン３１、リンク２９、ピン３２を介して第１ゲート手段２１が図１０のように右方に引かれる。
これにより、第１ゲート手段２１は軸２３を中心として時計回り方向に回動される。
その旋回途上において、弧状部２１Ｂがコイン通路１０から退避したところで第１ゲート手段２１の突起２１Ｄが第２ゲート手段２５の突起２５Ｄに係合し、第２ゲート手段２５を友連れで回動させて突起２１Ａおよび第２ゲート手段２５をコイン通路１０から撤退させて、それぞれ退避位置に保持する。
この突起２１Ａが突起２５Ｄに当接して友連れを開始するのは、アーマチャ５８がソレノイド５７にほぼ引き込まれた位置である。
したがってソレノイド５７の吸引力が大きい状態なので、第２ゲート手段２５のスプリング３５の付勢力が加わってもそれに抗して吸引することができる。
【００２６】
３７は軸１２の本体１の背面側の突出端に枢着した手動キャンセル受けレバーである。
図４から明らかなように、３８は手動キャンセルレバーであり、前記開口２６に位置しており、第２ゲート手段２５から第１ゲート手段２１に跨って相対するよう円弧の１／４程度の大きさになっている。
この手動キャンセルレバー３８は腕３９に固定されており、背面にカムを突設してある。
キャンセル受けレバー３７の反対側に突出する腕３７Ａには前記カムに相対してカムが形成してある。
【００２７】
キャンセル受けレバー３７はゲーム機のキャンセル釦により押し下げられると軸１２の回りを図４で反時計回り方向に回動する。
この回動により、前記２つのカムにより手動キャンセルレバー３８は図４で紙面に対し鉛直方向に押し下げられ、その先端部がコイン通路１０に進入することによりコイン通路１０に位置しているコインを強制的にガイドレールＧ上から押し出して落下させる。
キャンセル受けレバー３７は、ゲーム機のキャンセル釦の押し下げが解除されるとスプリング部４０の弾性により復帰する。
この復帰に伴って手動キャンセルレバー３８は腕３９の弾発力により、コイン通路１０から外れた退避位置に復帰する。
【００２８】
カバー２は、入口５に相対する部位が上端側から下降するにつれて通路の厚みが薄くなるよう傾斜したガイド部２Ａになっている。
そのガイド部２Ａに続いて厚みがコインよりも僅かに広いコイン通路１０を画定する部位２Ｂ、及びキャンセルしたコイン、すなわち、ガイドレールＧから外れて落下するコインのガイド部２Ｃが形成してある。
図１および図２から明らかなように、カバー２に突出した軸受４５Ａ、４５Ｂには、軸４６が支持されている。
【００２９】
この軸４６には、ガイド片４７が回動自在に垂下されている。
ガイド片４７は、コイン通路１０に沿うように先端部が湾曲している。
また、ナット４８でカバー２にロックされたビス４９とガイド片４７との間には弱いスプリングを介装し、ガイド片４７がコイン通路１０に突出するよう付勢している。
この突出量は、僅かにコインに接触する程度の量になるよう図示しないストッパで規制している。
【００３０】
また、軸４６には補助ストッパ５１が回動自在に垂下されている。
補助ストッパ５１の下端部は第１ゲート手段２１の突部２１Ａ側にＬ字状に屈曲している。
その屈曲端５１Ａは、第１ゲート手段２１の突部２１Ａがコイン通路１０を横切った後にその先端に当接する。
【００３１】
真正コインは、入口５に投入されると本体およびカバー２のガイド部２Ａおよび規制面１３Ａおよび下降部８ＡのガイドレールＧで案内されて垂直に落下する。
その後、下降部８ＡのガイドレールＧおよびガイドローラ１１のガイド溝１１Ａおよびカバー２の部位２Ｂとで案内する。
この後、円弧部８ＢのガイドレールＧとガイドローラ１１のガイド溝１１Ａに案内されて斜面部８Ｃに方向転換される。
【００３２】
このとき、カバー２側はガイド面がないため、コインの振れを抑止することが出来ない。
そこで、ガイド片４７をあてがってコイン振動による無用な落下を防止する。
斜面部８Ｃに入るとコインはセンサ１５Ａ、１５Ｂ、１５Ｃを通過する。
センサ部を通過したコインは、ガイドレールＧと本体１とに案内されて出口６からゲーム機のコイン集積部に集められる。
【００３３】
次に本実施例の作用を説明する。
ゲーム機が不使用状態のときは、ソレノイド５７が消磁されている。
このため、アーマチャ５８はスプリング３３のスプリング力により突出されている。
これにより、ピン３１、リンク２９、ピン３２を介して第１ゲート手段２１は図１２のように最も反時計回り方向に回動されたキャンセル位置になり、図示しないストッパに当接して静止している。
【００３４】
この状態において第１ゲート手段２１の突部２１Ａはコイン通路１０を通過して外れた位置にあり、弧状部２１Ｂがコイン通路１０に位置している。
第２ゲート手段２５はスプリング３５のスプリング力によりコイン通路１０側に突出するよう付勢され、カム面２５Ａがコイン通路１０に位置しているキャンセル位置にある。
この図１２の状態でコインが入口５から投入された場合、下降部８Ａのコイン通路１０を降下するコインは、第２ゲート手段２５のカム面２５Ａに衝突し、そのカム面２５Ａに沿って反本体１側へ横方向にスライドされるのでガイドレールＧから外れ、本体１とガイド部２Ｃ間の通路を落下して図示しないゲーム機の返却口に戻される。
【００３５】
次にゲーム機が使用状態のときは、ソレノイド５７が励磁される。
このため、アーマチャ５８はスプリング３１のスプリング力に抗してソレノイド５７内に引き込まれる。
これにより、ピン３１、リンク２９、ピン３２を介して第１ゲート手段２１は図１２の状態から時計回り方向に回動されて弧状部２１Ｂがコイン通路１０を外れたところで突起２１Ｄが突起２５Ｄに当接する。
これ以降第１ゲート手段２１は突起２１Ｄで突起２５Ｄを押動して第２ゲート手段２５を友連れし、第１ゲート手段２１の突起２１Ａと第２ゲート手段２５のカム面２５Ａがコイン通路１０から外れたところで図示しないストッパに当接して第１０図の退避位置で静止する。
【００３６】
この状態においてコインがゲーム機の入口に投入されると、コインは入口５を通過してガイドレールＧ並びに規制面１３Ａにより周縁部をガイドされ、また、コイン側面を本体１と部位２Ｂと８Ｄとガイドローラ１１の側壁１１Ｄと１１Ｅとによってガイドされつつ転がる。
コインは、下降部８Ａにおいて重力により加速されて後、円弧部８Ｂにてそのスピードを損なわないよう滑らかに方向転換されて後、斜面部８Ｃを転がって出口６に到達する。
【００３７】
このように、ほぼ垂直落下する下降部８Ａを設けることにより、短距離でコインの転がりスピードを上げられというメリットがある。
また、下降部８Ａおよび円弧部８Ｂではガイド片４７によっても側方から極めて弱いスプリング力で押してコインの振れで真正コインまでガイドレール８から外れないように案内している。
【００３８】
前記円弧部８Ｂではコインに遠心力が働くため、コインはガイドレールＧに圧接、すなわち、密着しつつ転がり、ガイドローラ１１の回りをほぼ１／４周する。
円弧部８ＢではコインがガイドレールＧに密着しているため、真正コインは一部がガイドローラ１１の溝１１Ａに入り込んで側壁１１Ｄ、１１Ｅにガイドされつつ進行する。
斜面部８Ｃを転がるコインは、センサ１５Ａ、１５Ｂ、１５Ｃの順に通過する。
図示しない制御部ではこれらセンサからの信号が真正コインと判別すれば何も作動させない。
【００３９】
しかし、不正コインと判別すれば、ソレノイド５７を消磁して第１ゲート手段２１及び第２ゲート手段２５をコイン通路１０に突出させ、以降投入されるコインをガイドレールＧから外すことにいよりキャンセルする。
キャンセルされたコインは、ガイド部２Ｃを通って落下する。
次に３個の真正コインを受け付けて後、その投入コインに対するゲームが終わるまでは４個目以降のコインをキャンセルするケースについて説明する。
【００４０】
真正コインが投入されると、前述のように入口５からガイドレールＧに沿って下降部８Ａ、円弧部８Ｂ、斜面部８Ｃの順に転がり、出口６から出てゆく。
センサ１５Ａ、１５Ｂ、１５Ｃはそれぞれコインの通過毎に信号を出力する。
図外の制御部でこの信号を判定して真正コイン１個であることを判別し、カウントする。
制御部は３個のコインをカウントすると、ソレノイド５７を消磁する。
また、第２ゲート手段２５付勢用スプリング３５の付勢力が突起２５Ｄを介して突起２１Ｄに付加されているので、ソレノイド５７の消磁直後はスプリング３３とスプリング３５の合成付勢力により、第１ゲート手段２５は図１１のように反時計方向に回動されて、まず、突起２１Ａがコイン通路１０に突出する。
【００４１】
この後、第２ゲート手段２５は図示しないストッパでその回動が阻止され、カム面２５Ａがコイン通路１０に位置したキャンセル位置で静止する。
この第２ゲート手段２５の静止により突起２５Ｄは、第１ゲート手段２１の突起２５Ｄを押さなくなるので、第１ゲート手段２１はスプリング３３の付勢力のみで回動され、図示しないストッパで回動を阻止され、弧状部２１Ｂがコイン通路１０に突出したキャンセル位置で静止する。
したがって、真正コインの４個、５個目が引き続いて投入されていた場合は、コインの位置に応じて次のようにガイドレールＧから外されて落下させられる。
【００４２】
第１のケースは、第１ゲート手段２１の突起２１Ａで側方から押されてガイドレールＧから外されて落下させられる。
このとき、突起２１Ａの進出に対して大きな抵抗がかかった場合は、スプリング３３の付勢力に抗して第１ゲート手段は退出可能なので突起２１Ａを破損することがない。
第２のケースは、突起２１Ａに係止されて転動出来なくなった後、弧状部２１Ｂで側方から押されてガイドレールＧから外されて落下させられる。
第３のケースは、第１ゲート手段２１の弧状面２１Ｂに案内されてガイドレールＧから外されて落下させられる。
このとき、コインが高速で弧状面２１Ｂに衝突しても、弧状面２１Ｂに働く分力により、スプリング３３の付勢力に抗して第１ゲート手段２１を後退することができるので衝撃を緩和出来、もって、第１ゲート手段２１の耐久性を向上できる。
【００４３】
第４のケースは、第２ゲート手段２５のカム面２５Ａで側方から押されてガイドレール８から外されて落下させられる。
第５のケースは、第２ゲート手段２５のカム面２５Ａに案内されてガイドレール８から外されて落下させられる。
この場合もコインが高速で弧状面２５Ａに衝突しても、カム面２５Ａに働く分力によりスプリング３５に抗して第２ゲート手段２５が退避可能なので第２ゲート手段２５の耐久性を向上させることができる。
【００４４】
第１ゲート手段２１と第２ゲート手段２５とがコイン通路１０に突出しているときは、コインは全てカム面２５Ａに案内されてガイドレール８から外れて落下する。
コイン２個が重なるように連続してきた場合は、第１ゲート手段２１と第２ゲート手段２５とがほぼ同時にコイン通路１０に突出するので、コインは個別のゲート手段でそれぞれ横方向に付勢されてガイドレールＧから外されて落下する。
したがって、第１ゲート手段２１にコイン２個分の衝撃力が働かないので耐久性を向上できる。
【００４５】
前記３個のコインに対するゲームが終了すると、制御部はソレノイド５７を励磁する。
これにより、前記のように第１ゲート手段２１および第２ゲート手段２５はコイン通路１０内のキャンセル位置から退避位置へ移動する。
この後再び、コインがセンサ部を通過してコインのカウントが始まる。
不正コインを使用した場合、例えばコインの直径が小さい場合は、そのコインの一部がガイドローラ１１の側壁１１Ｅに達しないので、自身の横ぶれ等により斜面１１Ｂ側へ倒れて姿勢が崩れてガイドレールＧから外れて本体１とカバー２のガイド部２Ｃ間に落下する。
【００４６】
コインの幅や直径が大きい場合は、不正コインが溝１１Ａに入り込めないでつかえてしまう。
この時は、手動解除レバー３８でカバー２側へ押し込んでガイドレールＧから外すことにより解除する。
【００４７】
転向防止板１７は、コインにワイヤを固着してセンサ１５Ａ、１５Ｂ、１５Ｃ部を通過させて後、ワイヤを用いてコインを横向きに転向させてセンサ１５Ａ及び１５Ｃと１５Ｂとの間の隙間を引き戻して使うなどの不正使用防止のためのものである。
この転向防止板１７があれば、コインを転向して引き戻そうとしてもコインが転向防止板１７に引っかかって引き戻すことが出来ない。
本発明は図示の実施例に限らず、コイン通路に垂直な下降部を設けず全て斜面にて構成してもよい。
【００４８】
本発明は、入口から出口まで下降するコイン通路と、前記コイン通路に突出したキャンセル位置と通路から退出した退避位置を選択的にとることができる第１ゲート手段と、第１のゲート手段よりも入口側にあってコイン通路に突出したキャンセル位置と通路から退出した退避位置とを選択的にとることができる第２ゲート手段と、により構成したので、コインが連続してゲート手段に到達しても、第１と第２のゲート手段により個別にキャンセルすることができる。
このため、第１ゲート手段にコイン２個分の衝撃力が加わることがないので、高速応答性向上のため軽量化しても耐久性が低下しない。
【００４９】
コイン通路は、ほぼ垂直な下降部と、下降部に続く弧状部と、弧状部に続く斜面部とより構成したので、まず下降部で重力を利用して加速し、その速度を損なわないよう弧状部で滑らかに方向転換して後斜面で更に転がすようにしたので、コインの加速に重力を最大限に活用できるから、下降部を短距離にでき、装置をコンパクトに構成できる。
また、弧状部においてコインには遠心力が加わるから、ガイドレールにコインが自ら密着するので跳ね上がりなどがなく、ガイドローラとの共同でコイン径を正確にチェックできる。
【００５０】
第２ゲート手段は、第１ゲート手段からコイン直径よりも少し大きい間隔で配置されているので、間隔を置かずに転がってくるコインを別々のゲート手段で側方に押しやるので、全コイン衝突の衝撃が１つのゲートに集中せず第１と第２ゲート手段に分散することができるので、ゲート手段の耐久性を向上させることができる。
【００５１】
第２ゲート手段が円弧部に配置されているので、コインの慣性力はガイドレールを突き抜けるように作用するから、コインがガイドレールから外れてしまえば自ら正規のルートを外れていくので選別がキャンセル傾向に行われるという、いわゆるセーフティ機構になっているので不正コインの選別が確実に行える。
【００５２】
第１ゲート手段は、コイン通路を横断する突部およびその突部に続いて上流側から突部に向けて形成された弧状部を有するので、コインが既に突部の前方に来てしまった場合はその突部で押し出すことにより、また、コインが突部の直前に来ているときは突部で係止して後弧状部で押し出すことにより、さらに、弧状部がコイン通路に位置しているときはその弧状部でガイドすることにより、ガイドレールからコインを外して落下させるので、コインがコイン通路のどの位置にあっても確実にキャンセルできるものである。
【００５３】
第１ゲート手段は、キャンセル位置において突出側に付勢する付勢手段を有するので、弧状部でコインを受け、かつ、衝撃が大きい場合は、弧状部に働く分力により前記付勢力に抗して退避して衝撃を緩和できるので、第１ゲート手段の破損を防止できる。
【００５４】
第２ゲート手段は、上流側から下流側に向かって漸次通路側に突出する斜面によりコインをガイドするので、コインの勢いは斜面で分力されるので、第２ゲート手段の耐久性を向上することができる。
【００５５】
第２ゲート手段は、枢軸に回動自在に枢着されてスプリングによりキャンセル位置に付勢され、第１ゲート手段の退避動の途中で第１ゲート手段に係合して伴連れされて退避位置に移動するようにしたので、第１ゲート手段の突出時は第２ゲート手段のスプリングと第２ゲート手段とのスプリングとで付勢されるので移動速度が向上する。
また、第１と第２の退避用の駆動源を共有化できるので安価に構成できるものである。
なお、実施例のガイドローラ１１に代えて弧状の溝を形成した板状体を用いても良い。
【００５６】
板状体を用いて径の異なるコインに対応する場合、ガイドレールと板状体の溝との距離をコインに合わせて調整する必要がある。
しかし、ガイドローラを使用することにより、溝径の異なるガイドローラに交換するだけでよいという利点がある。
【００５７】
【図面の簡単な説明】
【図１】図１は実施例の斜視図
【図２】図２は実施例の正面図
【図３】図３は図２のＡ−Ａ線断面図
【図４】図４は実施例の背面図
【図５】図５は図４のＢ−Ｂ線断面図
【図６】図６は実施例のカバーを外した状態の斜視図
【図７】図７は実施例のカバーを外した状態の正面図
【図８】図８は図７のＣ−Ｃ線断面図
【図９】図９は実施例のカバーを外した状態の運転状態の正面図
【図１０】図１０は図９のＤ−Ｄ線断面図
【図１１】図１１は第１ゲート手段が退避した状態でのＤ−Ｄ線断面図
【図１２】図１２は第１と第２ゲート手段がキャンセル位置にある状態でのＤ−Ｄ断面図
【図１３】図１３は実施例の手動キャンセルレバと腕とを外した状態の背面図
【図１４】図１４は従来例の斜視図
【図１５】図１５は図１４のＸ−Ｘ線の断面図
【符号の説明】
５      入口
６      出口
１０    コイン通路
２１    第１ゲート手段
２５    第２ゲート手段
８Ａ    下降部
８Ｂ    円弧状部
８Ｃ    斜面部
２１Ａ  第１ゲート手段の突部
２１Ｂ  第１ゲート手段の弧状部
３３    第１ゲート手段の付勢手段
２５Ａ  第２ゲート手段の斜面部
２１Ｄ  第１ゲート手段の突部
２５Ｄ  第２ゲート手段の突部
３５    第２ゲート手段の付勢手段
【図１】
0004235723.tif 000002
【図２】
0004235723.tif 000003
【図３】
0004235723.tif 000004
【図４】
0004235723.tif 000005
【図５】
0004235723.tif 000006
【図６】
0004235723.tif 000007
【図７】
0004235723.tif 000008
【図８】
0004235723.tif 000009
【図９】
0004235723.tif 000010
【図１０】
0004235723.tif 000011
【図１１】
0004235723.tif 000012
【図１２】
0004235723.tif 000013
【図１３】
0004235723.tif 000014
【図１４】
0004235723.tif 000015
【図１５】
0004235723.tif 000016